(57)【要約】【目的】ＯＮＵの異常や障害の発生時にＯＮＵの光出力停止制御を高速に行い、他のＯＮＵの上り通信への妨害を抑えることが可能な光ネットワークを提供する。【解決手段】上り信号の送信タイミングが上記送信タイミング指定の範囲外となる送信タイミング異常を検出する送信異常検出部と、送信タイミング異常が検出された場合に上り信号の局内装置への送信を停止する送信停止部と、を含む光端末装置を有する。【選択図】図２
2007194983.tif 000002
【特許請求の範囲】
【請求項１】
局内装置と、前記局内装置に上り信号を時分割多重伝送する複数の光端末装置とを含み、前記光端末装置は前記局内装置から供給される送信タイミング指定に従って前記上り信号を送信するパッシブ光ネットワークであって、
前記光端末装置は、前記上り信号の送信タイミングが前記送信タイミング指定の範囲外となる送信タイミング異常を検出する送信異常検出部と、前記送信タイミング異常が検出された場合に前記上り信号の前記局内装置への送信を停止する送信停止部と、を有することを特徴とする光ネットワーク。
【請求項２】
前記光端末装置は、前記上り信号の送信タイミングを前記上り信号から検出する送信タイミング検出部を有し、前記送信異常検出部は、前記送信タイミングと前記局内装置から供給された送信タイミング指定とを比較して前記送信タイミング異常を検出することを特徴とする請求項１に記載の光ネットワーク。
【請求項３】
前記光端末装置は、前記局内装置から供給された下り信号を処理する下り信号処理部の障害を検出する下り信号障害検出部を有し、前記送信停止部は、前記下り信号処理部の障害が検出された場合に前記上り信号の送信を停止することを特徴とする請求項１に記載の光ネットワーク。
【請求項４】
前記光端末装置は、前記光端末装置の所定の故障を検出して該故障検出を表す警報信号を前記局内装置に送信する故障検出部と、前記故障検出部の障害を検出する障害監視部と、を有し、前記送信停止部は前記故障検出部の障害を検出した場合に前記上り信号の送信を停止することを特徴とする請求項１に記載の光ネットワーク。
【発明の詳細な説明】
【技術分野】
【０００１】
本発明は、光分岐装置を介して局内装置に複数の光端末装置が接続された光ネットワーク、特に、局内装置への上り信号の送信停止制御機能を有する光端末装置を含む光アクセスネットワークに関する。
【背景技術】
【０００２】
ＦＴＴＨ（Fiber To The Home）等による加入者の光アクセスネットワークを提供する方法として、受動装置を利用するパッシブ光ネットワーク（ＰＯＮ：Passive Optical Network）方式がある。
【０００３】
ＰＯＮは、複数の加入者光端末装置（ＯＮＵ：Optical Network Unit）を１つの局内装置（ＯＬＴ：Optical Line Terminal）に収容することにより光アクセスネットワークの低コスト化を図る方法である。つまり、複数の加入者光端末装置ＯＮＵによって回線（光ファイバ）及び局内装置ＯＬＴを共用することで１ＯＮＵ当たりの回線コストの低減を図るものである。ＰＯＮには、例えば、局内装置ＯＬＴ及び加入者光端末装置ＯＮＵ間の通信にイーサフレームを用いるＥ−ＰＯＮ（Ethernet（登録商標）-PON）及び当該区間の通信にＡＴＭ（Asynchronous Transfer Mode）セルを用いるＢ−ＰＯＮ（Broadband-PON）などがある。
【０００４】
図１は、ＰＯＮのネットワークトポロジを表している。例えば、通信会社等の局舎内に置かれた局内装置ＯＬＴ３からの光ファイバ４は光スプリッタと呼ばれる受動装置５において収容加入者数（ｎとする）分だけ分岐される。光スプリッタ５からは、さらに各加入者へ光ファイバ６が延び、加入者宅内において加入者光端末装置（以下、単に光端末装置という。）ＯＮＵ（ONU-1, ... ,ONU-n）と呼ばれる装置にて終端される構成が採られる。なお、光端末装置ＯＮＵにはルータ、コンピュータ等の機器が接続され、光端末装置ＯＮＵとの間でデータ信号の入出力がなされる。そして、光端末装置ＯＮＵを介して当該データ信号の通信が行われる。
【０００５】
次に、局内装置ＯＬＴ３から各ＯＮＵへの信号（下り信号）及び各ＯＮＵから局内装置ＯＬＴ３への信号（上り信号）の伝送方法について説明する。
【０００６】
各ＯＮＵから局内装置ＯＬＴ３への伝送における信号光（上り）と、局内装置ＯＬＴ３から各ＯＮＵへの伝送における信号光（下り）とでは異なる波長が用いられる。すなわち、一本の光ファイバに波長を多重して伝送を行い、双方向での同時通信が可能である。かかる波長多重信号光の波長は所定の規格、例えば、ＩＴＵ−Ｔ勧告等に準拠して定められる。例えば、上りでは１．３μｍ帯の信号光が、下りでは１．５μｍ帯の信号光が用いられる。
【０００７】
下り信号の伝送、すなわち局内装置ＯＬＴ３から各光端末装置ＯＮＵへの伝送においては、時分割多重方式（Time Division Multiplexing）又は波長多重方式（Wavelength Division Multiplexing）が用いられる。すなわち、時分割多重方式においては、各ＯＮＵ（ONU-1, ... ,ONU-n）への下り信号（図１において、それぞれ、(1), (2), ...,(N)として示す）が時分割多重され、光スプリッタ５を経由して放送形式で各ＯＮＵへ配信される。そして、各ＯＮＵは自己宛の信号のみを抽出することにより受信を行う。
【０００８】
また、波長多重方式においては、各ＯＮＵへの信号をＯＮＵ毎に異なる波長で波長多重して伝送される。そして、各ＯＮＵは自己宛の信号を搬送する波長の信号光のみを抽出することにより受信を行う。
【０００９】
一方、上り信号の伝送、すなわち各光端末装置ＯＮＵから局内装置ＯＬＴ３への伝送方法にも時分割多重方式及び波長多重方式があるが、時分割多重方式を用いた場合に以下のような問題が生じる。
【００１０】
上り信号の時分割多重伝送方式においては、局内装置ＯＬＴ３は各ＯＮＵに対して、予め各ＯＮＵ（ONU-1, ... ,ONU-n）からの上り信号（図１において、それぞれ、<1>, <2>, ...,<N>として示す）の送信タイミングを指示し、各ＯＮＵは当該指示の送信タイミングでバースト的に光信号を送信する。また、当該送信タイミング以外ではＯＮＵの光出力を停止させる。これにより各ＯＮＵからの上り光バースト信号は光スプリッタ５において合流し、時分割多重されて局内装置ＯＬＴ３へ伝送される。
【００１１】
ここで、ＯＬＴ３から各ＯＮＵに指示される送信タイミングは、各ＯＮＵからの上り光バースト信号が光スプリッタ５で合流する際に衝突しないように、ＯＬＴ３において予め計算されて各ＯＮＵに指示される。
【００１２】
従来、ＯＮＵにおいて異常が発生した場合、ＯＮＵから発せられる警報をＯＬＴ３が収集してＯＮＵの異常を検出し、警報を発しているＯＮＵ内の光モジュールの光出力を強制停止させるための制御信号をそのＯＮＵに送出する。警報を発しているＯＮＵは、当該制御信号を受信すると、光モジュールの光出力を停止する。これにより、故障したＯＮＵの上り信号が他のＯＮＵの上り信号に衝突して他のＯＮＵの上り方向通信を妨げることを回避することができる（例えば、特許文献１参照）。
【特許文献１】特開平１１−１５４９５６号公報（第３頁、図１）
【発明の開示】
【発明が解決しようとする課題】
【００１３】
しかしながら、従来技術においては、局内装置ＯＬＴ側で光端末装置ＯＮＵの出力異常を検出した後、ＯＬＴは警報処理を行ってからＯＮＵに対して上り方向光出力を停止させる指示を行う。従って、ＯＮＵにおいて異常が発生してからそのＯＮＵの光出力が停止されるまで一定の時間がかかり、その間、他のＯＮＵの上り通信が妨害され続けるという事態になる。
【００１４】
また、ＯＮＵ内部において故障が発生してＯＮＵからＯＬＴに警報通知すべき場合において、ＯＮＵ内部の故障検出部又は警報発生部自体が故障してＯＬＴに正しく警報が通知されない場合がある。
【００１５】
さらに、ＯＮＵの下り信号処理部が故障して、ＯＬＴからの光出力停止指令に基づく光出力強制停止制御が正常に働かない場合がある。
【００１６】
上記の場合、他のＯＮＵの上り通信を妨害してしまうという問題があった。
【００１７】
本発明は、上述した点に鑑みてなされたものであり、その目的とするところは、ＯＮＵの異常や障害の発生時にＯＮＵの光出力停止制御を高速に行い、他のＯＮＵの上り通信への妨害を抑えることが可能な光ネットワークを提供することにある。さらに、従来では光出力停止制御が働かないような異常なＯＮＵの故障モードが生じた場合であっても他のＯＮＵの上り通信への妨害を回避することが可能な光ネットワークを提供することを目的とする。
【課題を解決するための手段】
【００１８】
本発明の光ネットワークは、局内装置と、局内装置に上り信号を時分割多重伝送する複数の光端末装置とを含み、光端末装置は局内装置から供給される送信タイミング指定に従って上り信号を送信するパッシブ光ネットワーク（ＰＯＮ）であって、光端末装置は、上り信号の送信タイミングが上記送信タイミング指定の範囲外となる送信タイミング異常を検出する送信異常検出部と、送信タイミング異常が検出された場合に上り信号の局内装置への送信を停止する送信停止部と、を有することを特徴としている。
【発明を実施するための最良の形態】
【００１９】
以下、本発明の実施例を図面を参照しつつ詳細に説明する。尚、以下に説明する図において、実質的に同一又は等価な構成要素、部分には同一の参照符を付している。
【実施例１】
【００２０】
図２は本発明によるパッシブ光ネットワーク（ＰＯＮ）の加入者光端末装置ＯＮＵ（Optical Network Unit）１０の構成を模式的に示すブロック図である。
【００２１】
局内装置ＯＬＴ（Optical Line Terminal）側の光入出力端１１はカプラ１２に接続されている。カプラ１２は、局内装置ＯＬＴ３から光端末装置ＯＮＵ１０に入力された下り光信号のうち波長λ１の光信号のみを分離して下り信号処理部１４に供給する。
【００２２】
下り信号処理部１４における下り信号の処理に関して、以下により詳細に説明する。波長λ１の光信号は下り信号処理部１４の下り光／電気（Ｏ／Ｅ）変換器１５において電気信号に変換され、制御情報抽出部１６に供給される。当該下り信号には伝送すべき主たる信号である主信号（情報データ信号）の他に各種の情報、指令等を含む制御情報が含まれている。制御情報抽出部１６は当該制御情報を下り信号から抽出する。
【００２３】
制御情報抽出部１６において抽出された制御情報には、局内装置ＯＬＴ３から光端末装置ＯＮＵ１０に対して発せられた送信許可指令が含まれている。送信許可指令は、そのＯＮＵ１０に対する送信開始時刻と送信継続期間（又は送信終了時刻）とを含む指令である。すなわち、送信許可指令は、当該ＯＮＵ１０が上り信号を送信（出力）可能な送信タイミングを指定している。以下においては、かかる送信タイミングを指定する信号を送信タイミング指定信号（ＴＭＧ）と称する。また、制御情報抽出部１６において、局内装置ＯＬＴ３から光端末装置ＯＮＵ１０に対して発せられた上り信号送信停止指令（ＵＳＣ）が抽出される。当該上り信号送信停止指令（ＵＳＣ）は、後述するように当該ＯＮＵ１０に対して上り信号の送信停止を指示する指令である。後述するように、送信タイミング指定信号ＴＭＧは上りバッファ読出制御部２２に供給され、上り信号送信停止指令ＵＳＣはＯＲ回路２８に供給される。
【００２４】
制御情報抽出部１６から出力された下り主信号は下り主信号バッファ１７に供給され、加入者側出力端子１９を介してＯＮＵ１０に接続された、例えばルータ、コンピュータ等の機器に送出される。これにより、当該光端末装置ＯＮＵ１０を介して局内装置ＯＬＴ３からのデータ信号の受信が行われる。
【００２５】
一方、上り信号は加入者側入力端子２０を介して上り主信号バッファ２１に供給される。上り信号の送信タイミングは局内装置ＯＬＴ３の指示に従うことが必要である。従って、バッファ読出制御部２２は、ＯＬＴ３からの送信タイミング指定信号ＴＭＧに基づいて上り主信号バッファ２１からの読み出しを行うための読出信号（以下、リード信号という。）ＲＤを生成する。上り主信号バッファ２１は、当該リード信号ＲＤに基づいて上り主信号を上り主信号バッファ２１から読み出し、上り電気／光（Ｅ／Ｏ）変換器２３に供給する。
【００２６】
上りＥ／Ｏ変換器２３は、上り主信号を波長λ２の光信号に変換し、カプラ１２に供給する。カプラ１２は波長λ２の光信号のみを選択的にＯＬＴ側の光入出力端１１に出力する。従って、当該波長λ２の上り光信号はＯＬＴ３に伝送される。これにより、当該光端末装置ＯＮＵ１０を介して局内装置ＯＬＴ３へのデータ信号等の送信が行われる。
【００２７】
光端末装置ＯＮＵ１０には、ＯＮＵ内部の故障を検出するＯＮＵ故障検出部２４が設けられている。ＯＮＵ故障検出部２４は故障を検出すると、警報信号ＡＬを発生して上り主信号バッファ２１に供給する。上り主信号バッファ２１は、警報信号ＡＬの受信に応答して上り主信号に当該警報信号ＡＬを付加する。そして、警報信号ＡＬは上りＥ／Ｏ変換器２３において波長λ２の光信号に変換され、カプラ１２を経由してＯＬＴ側の光入出力端１１に出力され、局内装置ＯＬＴ３に伝送される。このようにして、ＯＮＵ１０に故障が生じた場合に局内装置ＯＬＴ３に警報が発せられる。
【００２８】
局内装置ＯＬＴ３は、警報信号を受信し、その警報信号を発したＯＮＵ１０の光出力を停止するために、上り信号出力停止を指示する制御コマンド（送信停止指令（ＵＳＣ））をそのＯＮＵ１０に対して発する。上記したように、局内装置ＯＬＴ３から発せられた送信停止指令（ＵＳＣ）は制御情報抽出部１６において抽出される。送信停止指令ＵＳＣは、論理ＯＲ演算をなすＯＲ回路２８に供給される。ＯＲ回路２８は複数の入力端を有し、いずれか１の入力端に送信停止指令又は送信停止を表す送信停止信号（後述する）を受けると上りＥ／Ｏ変換器２３にその出力を停止させる出力禁止信号ＤＩＳを供給する。すなわち、上りＥ／Ｏ変換器２３は、出力禁止信号ＤＩＳを受信する端子（DIS）を有し、出力禁止信号ＤＩＳの受信に応答して上り信号の出力を停止する機能を有する。
【００２９】
なお、上りＥ／Ｏ変換器２３が出力禁止信号ＤＩＳに応答して上り信号出力を停止する機能を有する場合を例に説明するが、これに限らない。例えば、個別のＥ／Ｏ変換部及びその出力を停止させる出力停止部、又は個別のＥ／Ｏ変換部及びそのＥ／Ｏ変換部への主信号（電気信号）の入力停止部が接続された構成としても良い。このようにして、局内装置ＯＬＴ３の指示によって、警報を発したＯＮＵに対して、その光出力送信を停止する処理がなされる。
【００３０】
本実施例においては、図２に示すように、ＯＮＵ１０には送信タイミング異常検出部３０及び送信停止信号生成部３１が設けられている。送信タイミング異常検出部３０はＯＮＵ１０の光出力を停止すべき異常状態を検出し、異常検出信号ＴＡを送信停止信号生成部３１に供給する。送信停止信号生成部３１は、送信タイミング異常検出部３０からの異常検出信号ＴＡに応答して送信停止信号ＴＳＳを生成し、ＯＲ回路２８に供給する。
【００３１】
そして、送信停止信号ＴＳＳがＯＲ回路２８に供給された場合には、ＯＲ回路２８からの出力禁止信号ＤＩＳによって上り信号の出力が停止される。すなわち、ＯＮＵ１０から局内装置ＯＬＴ３への送信が停止される。これによって、ＯＬＴ３からの光出力停止指令が無い場合であっても、他のＯＮＵの上り通信への妨害、衝突を回避することが可能となる。
【００３２】
さらに、本実施例における、送信タイミング異常検出部３０及び送信停止信号生成部３１の構成及び動作についてより具体的に説明する。
【００３３】
図３に示すように、送信タイミング異常検出部３０は、Ｏ／Ｅ変換器３２及び送信タイミング比較器３３から構成されている。上りＥ／Ｏ変換器２３の光信号出力は当該光信号出力をモニタするＯ／Ｅ変換器３２に供給される。Ｏ／Ｅ変換器３２において上りＥ／Ｏ変換器２３からの光信号出力は電気信号に変換され、変換後の電気信号は送信タイミング比較器３３に供給される。
【００３４】
送信タイミング比較器３３は、当該変換後の電気信号から実際の送信タイミングを表す送信タイミング信号ＴＯＰを生成する。さらに、送信タイミング比較器３３は、ＯＬＴ３からの送信タイミング指定信号（以下、単にタイミング指定信号ともいう。）ＴＭＧをリファレンス信号として送信タイミング信号ＴＯＰと比較する。送信タイミング比較器３３は、送信タイミング信号ＴＯＰをタイミング指定信号ＴＭＧと比較した結果、タイミング指定信号ＴＭＧに指定されているタイミング（図４における時刻Ｔ１〜Ｔ２の期間）から外れている場合には、送信タイミングの異常であると判断して送信タイミング異常信号ＴＡを生成する。
【００３５】
図４は、送信タイミングの正常、異常を模式的に説明する図である。より具体的には、上りＥ／Ｏ変換器２３の光信号出力の実際の送信開始時刻（Ｔs）及び終了時刻（Ｔe）の間の期間（時刻Ｔs〜Ｔeの期間）である送信タイミング（送信期間）がＯＬＴ３からのタイミング指定信号ＴＭＧに指定されている指定送信タイミング（Ｔ１〜Ｔ２の期間）と比較される。送信タイミング（Ｔs〜Ｔeの期間）が指定送信タイミング（Ｔ１〜Ｔ２の期間）以内である場合、すなわち、送信タイミング信号がＴＯＰ(1)，ＴＯＰ(2)のような場合には、本来ＯＬＴ３へ送信すべきタイミングで実際の上り光信号が送信されているので、他のＯＮＵの上り通信への妨害、衝突は生じない。従って、送信タイミング異常信号ＴＡは生成されない。
【００３６】
一方、送信タイミング（Ｔs〜Ｔeの期間）が指定送信タイミング（Ｔ１〜Ｔ２の期間）から外れている場合、すなわち、送信タイミング信号がＴＯＰ(3)，ＴＯＰ(4)，又はＴＯＰ(5)のような場合には、送信タイミングは異常であり、送信タイミング異常信号ＴＡが生成される。そして異常検出信号ＴＡに応答して送信停止信号ＴＳＳが生成され、ＯＲ回路２８に供給される。ＯＲ回路２８からは出力禁止信号ＤＩＳが出力され、出力禁止信号ＤＩＳによって上り信号の出力が停止される。すなわち、ＯＮＵ１０から局内装置ＯＬＴ３への送信が停止される。これによって、ＯＬＴ３からの光出力停止指令が無い場合であっても、他のＯＮＵの上り通信への妨害、衝突を回避することが可能となる。
【００３７】
上記したように、送信タイミングが正常でないＯＮＵ１０の上り光出力信号のみを停止させることで、ＯＬＴ３に接続された他のＯＮＵの上り方向通信を正常に保つことができる。従来方式と異なり、ＯＮＵ１０内部で送信タイミング異常検出処理及び上り送信停止処理を行う。また、警報をＯＬＴ３に通知した後、ＯＬＴ３の指令によって送信停止を行うのと異なり、ＯＮＵ１０の異常が生じた場合に自律的かつ迅速に上り送信の停止を行うことができる。また、これらの送信タイミング異常検出処理及び送信停止処理をハードウエハで行うことにより高速に光信号の送信停止を行うことができる。
【実施例２】
【００３８】
図５は、本発明の実施例２である光ネットワークに用いられる光端末装置ＯＮＵ１０の構成を模式的に示すブロック図である。
【００３９】
光端末装置ＯＮＵ１０には、上記したように、ＯＮＵ内部の故障を検出するＯＮＵ故障検出部２４が設けられている。ＯＮＵ故障検出部２４は故障を検出すると、警報信号ＡＬを発生して上り主信号バッファ２１に供給する。
【００４０】
ＯＮＵ故障検出部２４は、ＯＮＵ内部で実行される処理及び回路における故障を検出する。より具体的には、ＯＮＵ内部で実行される処理や機能としては、例えば、ユーザインタフェース機能、ＯＬＴインタフェース機能、優先制御機能等がある。これらの機能には上り信号処理部の機能、下り信号処理部１４の機能、上り及び下りに共通の機能がある。
【００４１】
ＯＮＵ故障検出部２４は、下り信号処理部１４による信号処理における故障を検出する下り信号処理故障検出部３４を有する。下り信号処理故障検出部３４は、例えば、メモリチェック機能（パリティ機能）、主信号導通チェック機能、誤りチェック機能等の故障検出機能を有する。
【００４２】
下り信号処理部１４において何らかの故障が発生した場合には、制御情報抽出部１６によって抽出された送信タイミング指定情報は保証されないこととなる。ＯＮＵ１０内において、送信タイミング指定信号ＴＭＧが誤った場合又は不正確な場合には、実質的に送信タイミング異常となる場合が生じる。
【００４３】
そこで、下り信号処理故障検出部３４は、下り信号処理部１４における故障を検出した場合には、ＯＮＵ１０の光出力を停止すべき異常状態を検出したものとみなして、送信タイミング異常の発生を表す異常検出信号ＴＡを送信停止信号生成部３１に供給する。すなわち、下り信号処理故障検出部３４は、送信タイミング異常検出部３０と同様の機能として働く。
【００４４】
送信停止信号生成部３１は、下り信号処理故障検出部３４からの異常検出信号ＴＡに応答して送信停止信号ＴＳＳを生成し、ＯＲ回路２８に供給する。上記した実施例と同様に、ＯＲ回路２８からの出力禁止信号ＤＩＳによって上りＥ／Ｏ変換器２３の出力が停止される。これによって、ＯＬＴ３からの光出力停止指令が無い場合であっても、ＯＮＵ１０内に他のＯＮＵの上り通信を妨害したり、他のＯＮＵの上り信号と衝突する異常が発生した場合にはＯＮＵ１０から局内装置ＯＬＴ３への送信が停止される。従来における、警報をＯＬＴ３に通知した後にＯＬＴ３の指令によって送信停止を行うのと異なり、ＯＮＵ１０の異常が生じた場合に自律的かつ迅速に上り送信の停止を行うことができる。
【００４５】
さらに、また、下り信号処理部１４において故障が発生した場合には、通常、局内装置ＯＬＴ３からＯＮＵ１０に対して発せられた上り信号送信停止指令（ＵＳＣ）を正確に抽出又は認識することができない。つまり、下り信号処理故障検出部３４は、送信異常検出部として働く。従って、下り信号処理部１４において故障が検出された場合には、上りＥ／Ｏ変換器２３の出力が停止される。これによって、ＯＮＵ１０がＯＬＴ３からの送信停止指令を認識できない事態となった場合であっても、ＯＮＵ１０内に他のＯＮＵの上り通信を妨害したり、他のＯＮＵの上り信号と衝突する異常が発生した場合にはＯＮＵ１０から局内装置ＯＬＴ３への送信が停止される。
【００４６】
上記したように、ＯＮＵ１０が、送信タイミングが保証されない異常状態、又はＯＬＴ３からの送信停止指令を認識できない事態において、そのＯＮＵ１０の上り光出力信号のみを停止させることができる。従って、その他のＯＮＵの上り方向通信を正常に保つことができる。上記実施例と同様に、ＯＮＵ１０内で異常が生じた場合に自律的かつ迅速に上り送信の停止を行うことができる。また、これらの異常検出処理及び送信停止処理をハードウエハで行うことにより高速に光信号の送信停止を行うことができる。
【実施例３】
【００４７】
図６は、本発明の実施例３である光ネットワークの光端末装置ＯＮＵ１０の構成を模式的に示すブロック図である。
【００４８】
光端末装置ＯＮＵ１０にはＯＮＵ内部の故障を検出するＯＮＵ故障検出部２４が設けられているが、さらに、故障検出部障害監視回路３５が設けられている。ここで、故障検出部障害監視回路３５は、ＯＮＵ故障検出部２４の障害監視を行い、障害が検出された場合には異常検出信号ＴＡを送信停止信号生成部３１に供給する。
【００４９】
ＯＮＵ１０内部において何らかの故障、障害が発生して送信タイミング異常などの送信異常が生じる可能性がある場合には、そのＯＮＵ１０からＯＬＴ３に警報通知する必要がある。このような場合において、ＯＮＵ故障検出部２４自体に故障が生じていると、ＯＬＴ３に正しく警報通知がなされない。つまり、ＯＮＵ故障検出部２４の内部故障によってＯＮＵ故障検出部２４が故障を検出できなかったり、故障検出ができた場合であっても故障検出信号又は警報を発生・通知することができない場合が生じる。
【００５０】
本実施例においては、故障検出部障害監視回路３５は、ＯＮＵ故障検出部２４の障害監視を行い、ＯＬＴ３に警報通知する必要がある所定の障害が検出された場合には異常検出信号ＴＡを発する。異常検出信号ＴＡは送信停止信号生成部３１に供給される。
【００５１】
送信停止信号生成部３１は、障害監視回路３５からの異常検出信号ＴＡに応答して送信停止信号ＴＳＳを生成し、ＯＲ回路２８に供給する。上記した実施例と同様に、ＯＲ回路２８からの出力禁止信号ＤＩＳによって上りＥ／Ｏ変換器２３の出力が停止される。このようにして、送信タイミングが正常でなくなった可能性のあるＯＮＵ１０の上り光出力信号のみを停止することで、他のＯＮＵの上り通信の妨害や他のＯＮＵの上り信号との衝突を回避することができる。従って、ＯＮＵ１０の故障検出、警報発生機能に異常が生じた場合に自律的かつ迅速に上り送信の停止を行うことができる。
【００５２】
以上、詳細に説明したように、上り光信号の送信タイミング異常などの送信異常が生じうるＯＮＵにおいて、自律的かつ迅速に上り方向送信の停止を行うことができる。従って、その他のＯＮＵの上り通信への妨害をより短時間に抑えることができる。さらに、異常なＯＮＵに対して働かないような故障モードに対しても、他のＯＮＵの上り通信への妨害を回避することができ、ＯＮＵ及びＰＯＮシステムの信頼性を向上できる。
【００５３】
なお、ＰＯＮシステムのＯＮＵの全てが上記した実施例に示したＯＮＵである必要はない。すなわち、局内装置ＯＬＴに接続されたＯＮＵのうち少なくとも１つが上記した実施例に示したＯＮＵであるように構成されたＰＯＮシステムであればよい。
【００５４】
なお、上記した実施例は例示に過ぎない。また、上記した実施例を適宜改変及び組み合わせて適用することが可能である。
【図面の簡単な説明】
【００５５】
【図１】ＰＯＮのネットワークトポロジを示す図である。
【図２】本発明による光端末装置ＯＮＵの構成を模式的に示すブロック図である。
【図３】本発明の実施例１である光ネットワークの光端末装置ＯＮＵの構成を模式的に示すブロック図である。
【図４】送信タイミングの正常、異常を模式的に説明する図である。
【図５】本発明の実施例２である光端末装置ＯＮＵの構成を模式的に示すブロック図である。
【図６】本発明の実施例３である光端末装置ＯＮＵの構成を模式的に示すブロック図である。
【符号の説明】
【００５６】
１０  光端末装置
１４  下り信号処理部
１６  制御情報抽出部
２３  Ｅ／Ｏ変換器
２４  ＯＮＵ故障検出部
３０  送信タイミング異常検出部
３１  送信停止信号生成部
３３  送信タイミング比較器
３４  下り信号処理故障検出部
３５  故障検出部障害監視回路
【図１】
2007194983.tif 000003
【図２】
2007194983.tif 000004
【図３】
2007194983.tif 000005
【図４】
2007194983.tif 000006
【図５】
2007194983.tif 000007
【図６】
2007194983.tif 000008